(57)【要約】【課題】液晶表示パネルなどのパネルを複数枚積み重ねて収容するパネル梱包箱であって、そのパネル梱包箱を上下逆さにしてもパネルの梱包・取り出しが可能な構造とすることで、複数枚のパネルの反転を一括して行うことが可能なパネル梱包箱を提供すること。【解決手段】矩形状のパネル収容面を有した上箱部材と矩形状のパネル収容面を有した下箱部材とから成り、上箱部材と下箱部材のいずれかのパネル収容面に複数枚の四角形状を有するパネルが積み重ねられて収容されるパネル梱包箱であって、上箱部材には、収容されるパネルの四隅角部を囲むように配置される平面視でＬ字形状を有する４つの角部側壁が立設され、下箱部材には、収容されるパネルの四辺を部分的に囲むように配置される平面視で長方形状を有する４つの辺部側壁が立設され、上箱部材に設けられた角部側壁と下箱部材に設けられた辺部側壁とが上下に隙間無く嵌合されるようにした。【選択図】図３
2010143606.tif 000002
【特許請求の範囲】
【請求項１】
矩形状のパネル収容面を有した上箱部材と矩形状のパネル収容面を有した下箱部材とから成り、前記上箱部材と前記下箱部材のいずれかのパネル収容面に複数枚の四角形状を有するパネルが積み重ねられて収容されるパネル梱包箱であって、前記上箱部材には、収容される前記パネルの四隅角部を囲むように配置される平面視でＬ字形状を有する４つの角部側壁が立設され、前記下箱部材には、収容される前記パネルの四辺を部分的に囲むように配置される平面視で長方形状を有する４つの辺部側壁が立設され、前記上箱部材に設けられた前記角部側壁と前記下箱部材に設けられた前記辺部側壁とが上下に隙間無く嵌合されることを特徴とするパネル梱包箱。
【請求項２】
矩形状のパネル収容面を有した上箱部材と矩形状のパネル収容面を有した下箱部材とから成り、前記上箱部材と前記下箱部材のいずれかのパネル収容面に複数枚の四角形状を有するパネルが積み重ねられて収容されるパネル梱包箱であって、前記上箱部材には、収容される前記パネルの対角する二隅角部とそれら角部に繋がる前記パネルの二辺部のそれぞれ半分とを囲むように配置される平面視でＬ字形状を有する２つのＬ字型側壁が立設され、前記下箱部材には、収容される前記パネルの対角する二隅角部とそれら角部に繋がる前記パネルの二辺部のそれぞれ半分とを囲むように配置される平面視でＬ字形状を有する２つのＬ字側壁が立設され、前記上箱部材に設けられた前記Ｌ字型側壁と前記下箱部材に設けられたＬ字側壁とが上下に隙間無く嵌合されると共に、前記上箱部材と前記下箱部材が同一形状を有していることを特徴とするパネル梱包箱。
【発明の詳細な説明】
【技術分野】
【０００１】
本発明は、液晶表示パネルなどのパネルを複数枚積層して収容するパネル梱包箱に関する。
【背景技術】
【０００２】
近年、コンピュータやテレビなどの家電製品の表示部として、液晶表示パネルが広く用いられている。液晶表示パネルは、一般には図９に示されるように薄膜トランジスタ（ＴＦＴ）アレイ基板２０とカラーフィルタ（ＣＦ）基板３０とからなる一対の基板が所定の間隔を置いて平行に対向配置され、両基板２０，３０間に液晶４０が充填された構成をなしている。ＴＦＴアレイ基板２０には複数の画素電極２１がマトリクス状に形成され、ＣＦ基板３０にはほぼ全面に共通電極３１が形成されており、これら電極２１，３１間に印加する電圧を変化させることで、液晶４０を配向制御することができるようになっている。
【０００３】
このような液晶表示パネル１０を製造装置間において移送する際には、例えば下記特許文献１に開示されているようなパネル梱包箱が用いられている（図１０参照）。図示されるようにパネル梱包箱１００の内部には、複数枚の液晶表示パネル１０が積み重ねられて収容されており、液晶表示パネル１０同士の間には液晶表示パネル１０に傷が付かないように緩衝材として樹脂製の合紙５１が介在されている。パネル梱包箱１００は、矩形状のパネル収容面１０１ａを有した本体部１０１と蓋体１０２とから構成されている。
【０００４】
通常、このようなパネル梱包箱１００では、液晶表示パネル１０はＣＦ基板３０が図１１（ａ）に示されるように上側になるように収容されており、液晶表示パネル１０の点灯検査ではＣＦ基板３０が上側のままパネル梱包箱１００から液晶表示パネル１０を一枚ずつ取り出して検査台に載せて点灯検査が行われている。
【０００５】
また、ＴＦＴアレイ基板２０に形成された電気配線に断線等がある場合は、ＴＦＴアレイ基板２０が上側になった液晶表示パネル１０に上方からレーザ光を照射する修正装置によって修正が行われる。このような場合は、パネル梱包箱１００からＣＦ基板３０が上側になった液晶表示パネル１０を取り出した後、図１１（ｂ）に示されるように液晶表示パネル１０を反転させてＴＦＴアレイ基板２０が上側になるようにして修正装置の台に載せる必要がある。このような液晶表示パネル１０の反転は、作業者によって手作業で行われるか、修正装置等が備えるパネル反転装置で行われている。
【０００６】
【特許文献１】特開２００７−８４１２４号公報
【発明の開示】
【発明が解決しようとする課題】
【０００７】
しかしながら、液晶表示パネル１０単体での反転ではパネル枚数分の反転作業が必要であることから時間がかかり、また、反転の際に液晶表示パネル１０が他の部材に接触して傷が付いたり割れたりする場合があった。
【０００８】
そこで、本発明が解決する課題は、液晶表示パネルなどのパネルを複数枚積み重ねて収容するパネル梱包箱であって、そのパネル梱包箱を上下逆さにしてもパネルの梱包・取り出しが可能な構造とすることで、複数枚のパネルの反転を一括して行うことが可能なパネル梱包箱を提供することである。
【課題を解決するための手段】
【０００９】
上記課題を解決するため本発明は、矩形状のパネル収容面を有した上箱部材と矩形状のパネル収容面を有した下箱部材とから成り、前記上箱部材と前記下箱部材のいずれかのパネル収容面に複数枚の四角形状を有するパネルが積み重ねられて収容されるパネル梱包箱であって、前記上箱部材には、収容される前記パネルの四隅角部を囲むように配置される平面視でＬ字形状を有する４つの角部側壁が立設され、前記下箱部材には、収容される前記パネルの四辺を部分的に囲むように配置される平面視で長方形状を有する４つの辺部側壁が立設され、前記上箱部材に設けられた前記角部側壁と前記下箱部材に設けられた前記辺部側壁とが上下に隙間無く嵌合されることを要旨とするものである。
【００１０】
このような構成を有するパネル梱包箱によれば、上箱部材には、収容されるパネルの四隅角部を囲むように配置される平面視でＬ字形状を有する４つの角部側壁が立設されているので、持ち運びする際に上箱部材のパネル収容面に積み重ねられたパネルが横滑りして箱からはみ出してしまうことが角部側壁によって防止されている。
【００１１】
また、下箱部材には、収容されるパネルの四辺を部分的に囲むように配置される平面視で長方形状を有する４つの辺部側壁が立設されているので、持ち運びする際に下箱部材のパネル収容面に積み重ねられたパネルが横滑りして箱からはみ出してしまうことが辺部側壁によって防止されている。したがって、上箱部材と下箱部材のいずれにおいても、パネルの横すべりを防止しつつ積み重ねて収容することができるようになっている。
【００１２】
更に、上箱部材に設けられた角部側壁と下箱部材に設けられた辺部側壁とが上下に隙間無く嵌合されるようになっているので、上箱部材と下箱部材が嵌合されたパネル梱包箱を、上下逆さに反転するだけで、収容された複数枚のパネル全てを一括して反転することが可能である。
【００１３】
また、上記課題を解決するため別の本発明は、矩形状のパネル収容面を有した上箱部材と矩形状のパネル収容面を有した下箱部材とから成り、前記上箱部材と前記下箱部材のいずれかのパネル収容面に複数枚の四角形状を有するパネルが積み重ねられて収容されるパネル梱包箱であって、前記上箱部材には、収容される前記パネルの対角する二隅角部とそれら角部に繋がる前記パネルの二辺部のそれぞれ半分とを囲むように配置される平面視でＬ字形状を有する２つのＬ字型側壁が立設され、前記下箱部材には、収容される前記パネルの対角する二隅角部とそれら角部に繋がる前記パネルの二辺部のそれぞれ半分とを囲むように配置される平面視でＬ字形状を有する２つのＬ字側壁が立設され、前記上箱部材に設けられた前記Ｌ字型側壁と前記下箱部材に設けられたＬ字側壁とが上下に隙間無く嵌合されると共に、前記上箱部材と前記下箱部材が同一形状を有していること要旨とするものである。
【００１４】
このような構成を有するパネル梱包箱によれば、上箱部材には、収容されるパネルの対角する二隅角部とそれら角部に繋がるパネルの二辺部のそれぞれ半分とを囲むように配置される平面視でＬ字形状を有する２つのＬ字型側壁が立設されているので、持ち運びする際に上箱部材のパネル収容面に積み重ねられたパネルが横滑りして箱からはみ出してしまうことがＬ字型側壁によって防止されている。
【００１５】
また、下箱部材には、収容されるパネルの対角する二隅角部とそれら角部に繋がるパネルの二辺部のそれぞれ半分とを囲むように配置される平面視でＬ字形状を有する２つのＬ字側壁が立設されているので、持ち運びする際に下箱部材のパネル収容面に積み重ねられたパネルが横滑りして箱からはみ出してしまうことがＬ字型側壁によって防止されている。したがって、上箱部材と下箱部材のいずれにおいても、パネルの横すべりを防止しつつ積み重ねて収容することができるようになっている。
【００１６】
更に、上箱部材に設けられたＬ字型側壁と下箱部材に設けられたＬ字側壁とが上下に隙間無く嵌合されるようになっているので、上箱部材と下箱部材が嵌合されたパネル梱包箱を、上下に逆さに反転するだけで、収容された複数枚のパネル全てを一括して反転することが可能である。また、上箱部材と下箱部材が同一形状を有している構成なので、箱部材の製作に用いられる金型等の種類を削減することができ、パネル梱包箱の製作や管理にかかるコスト等を抑えることが可能である。
【００１７】
このような本発明に係るパネル梱包箱の具体的な使用態様としては、例えば、上述した液晶表示パネルを複数枚積み重ねて収容するパネル梱包箱として用いる場合では、通常は、下箱部材にＣＦ基板が上側になっている液晶表示パネルを複数枚積み重ねて収容しておき、点灯検査などではＣＦ基板が上側のまま液晶表示パネルを取り出して検査することができる。
【００１８】
そして、修正装置などで修正するときのようにＴＦＴアレイ基板が上側になるようにしたい場合は、ＣＦ基板が上側の複数枚の液晶表示パネルを収容した下箱部材に上箱部材を装着して嵌合させたパネル梱包箱を箱ごと上下逆さに反転することで、複数枚の液晶表示パネル全てをＴＦＴアレイ基板が上側になるように一括して反転させることができる。これにより今度は上箱部材にＴＦＴアレイ基板が上側の複数枚の液晶表示パネルが収容された状態にされる。そして、下箱部材が外された上箱部材からＴＦＴアレイ基板が上側になった液晶表示パネルをそのまま取り出して修正が行うことができる。
【発明の効果】
【００１９】
上記構成を有する本発明に係るパネル梱包箱によれば、パネル梱包箱を上下逆さにしてもパネルの梱包と取り出しが可能な構造になっている。したがって、パネル梱包箱ごと反転させることで、収容された複数枚のパネル全てを一括で反転させることができる。これにより、従来、修正装置などの各種装置に備えられていたパネル反転装置を削減することや、作業者が手作業で行っていた液晶表示パネルを反転する回数を例えば２０回から１回へと減らすことができる。
【００２０】
つまり、予め、パネル梱包箱を反転させることで、例えば２０枚の液晶表示パネルを毎回反転させる工程を省略することが可能であり、パネル反転装置の省略化、作業者が手作業で行っていた反転の際の怪我防止、更には液晶表示パネルの割れ等の防止に貢献することができる。
【発明を実施するための最良の形態】
【００２１】
以下に、本発明に係るパネル梱包箱の一実施形態について、図面を参照して詳細に説明する。先ず、本発明に係るパネル梱包箱の第１の実施形態について説明する。図１は第１の実施形態に係るパネル梱包箱の分解斜視図、図２は図１の上箱部材と下箱部材を上下逆さに配置した状態を示した図である。
【００２２】
また、図３は下箱部材にＣＦ基板が上側の液晶表示パネルを積み重ねて収容した状態を示した外観斜視図、図４は上箱部材にＴＦＴアレイ基板が上側の液晶表示パネルを積み重ねて収容した状態を示した外観斜視図である。
【００２３】
更に、図５（ａ）は下箱部材が下側、上箱部材が上側で両箱部材を嵌合させて閉じた状態のパネル梱包箱の外観斜視図、図５（ｂ）は上箱部材が下側、下箱部材が上側で両箱部材を嵌合させて閉じた状態のパネル梱包箱の外観斜視図である。図６（ａ）は図５（ａ）の断面図、図６（ｂ）は図５（ｂ）の断面図である。
【００２４】
図１に示されるようにパネル梱包箱１は、上箱部材２と下箱部材３を備えている。下箱部材３は発泡樹脂などの樹脂材料から成形されたもので、液晶表示パネル１０が収容される矩形状のパネル収容面３ａを有した底板３ｂが設けられており、底板３ｂにはパネル収容面３ａの両短辺と両長辺の中央部を含むように部分的に囲む平面視で長方形状を有する短辺部側壁３ｃ，３ｃと長辺部側壁３ｄ，３ｄが立設されている。
【００２５】
また、短辺部側壁３ｃと長辺部側壁３ｄは、図６（ａ）の断面図に示されるように、合紙５１が介在されて積み重ねられた液晶表示パネル１０複数枚分の厚さを超える高さを有している。この場合、短辺部側壁３ｃ，３ｃと長辺部側壁３ｄ，３ｄが設けられていないパネル収容面３ａの四隅角部には、平面視でＬ字形状に切り欠かれた切欠部３ｅ，３ｅ，３ｅ，３ｅが形成されている。
【００２６】
上箱部材２は発泡樹脂などの樹脂材料から成形されたもので、液晶表示パネル１０が収容される矩形状のパネル収容面２ａを有した底板２ｂが設けられており、底板２ｂにはパネル収容面２ａの四隅角部を囲む平面視でＬ字形状を有する角部側壁２ｃ，２ｃ，２ｃ，２ｃが立設されている。この場合、角部側壁２ｃの高さは下箱部材３に立設された短辺部側壁３ｃと長辺部側壁３ｄと同じ高さを有している。そして、上箱部材２の角部側壁２ｃ，２ｃ，２ｃ，２ｃは、図５に示されるように下箱部材３の四隅角部の切欠部３ｅ，３ｅ，３ｅ、３ｅに挿入されて、短辺側壁３ｃと長辺側壁３ｄとが隙間無く嵌合されるようになっている。
【００２７】
また、角部側壁２ｃ，２ｃ，２ｃ，２ｃが設けられていないパネル収容面２ａの両短辺部と両長辺部、つまり各角部側壁２ｃ間には、平面視で長方形状に切り欠かれた切欠部２ｄ，２ｄ，２ｄ，２ｄが形成されており、この切欠部２ｄ，２ｄ，２ｄ，２ｄには、図５に示されるように下箱部材５の短辺部側壁３ｃ，３ｃと長辺側壁３ｄ，３ｄが挿入されて隙間無く嵌合されるようになっている。
【００２８】
尚、図５および図６に示されるように上箱部材２と下箱部材３が上下に嵌合した状態では、上箱部材２に設けられた角部側壁２ｃ，２ｃ，２ｃ，２ｃの内壁面と下箱部材３に設けられた短辺部側壁３ｃ，３ｃおよび長辺部側壁３ｄ，３ｄの内壁面は面が一致するように形成されており、液晶表示パネル１０を収容した状態でパネル梱包箱１を反転した際に、パネル梱包箱１の側壁の内壁面に液晶表示パネル１０の辺部が片当たりして割れないように、液晶表示パネル１０の辺部全体がパネル梱包箱１の側壁の内壁面に均一に当接するようになっている。
【００２９】
このような上箱部材２と下箱部材３からなるパネル梱包箱１を用いることで、通常は、図３に示されるように下箱部材３を下側にしてＣＦ基板３０が上側の液晶表示パネル１０を複数枚積み重ねて収容しておき、点灯検査などではＣＦ基板３０が上側のまま液晶表示パネル１０を取り出して検査することができる。
【００３０】
そして、ＴＦＴアレイ基板２０に形成された配線に断線等がある場合に、ＴＦＴアレイ基板２０が上側になった液晶表示パネル１０に上方からレーザ光を照射する修正装置などで修正するときのようにＴＦＴアレイ基板１０が上側になるようにしたい場合は、図３の状態から図５（ａ）に示されるように下箱部材３に上箱部材２を上方から装着して、図５（ｂ）に示されるようにパネル梱包箱１を箱ごと上下逆さに反転する。このようなパネル梱包箱１の反転は、作業者が手作業で、もしくは、パネル梱包箱１を上下に把持する治具等を用いて行うことができる。
【００３１】
これにより、図４に示されるように複数枚の液晶表示パネル１０全てをＴＦＴアレイ基板２０が上側になるように一括して反転させることができる。そして、図示されるように下側の上箱部材２から下箱部材３を上方に外すことで、ＴＦＴアレイ基板２０が上側になった液晶表示パネル１０を上箱部材２から取り出して修正が行うことができる。
【００３２】
このようにパネル梱包箱１を上下２分割の上箱部材２と下箱部材３とにより構成し、上下逆さにしても液晶表示パネル１０の梱包・取り出し可能な構造とすることで、必要に応じて複数枚の液晶表示パネル１０を一括して反転させることが可能である。
【００３３】
これにより従来のようにパネル梱包箱１００から一枚ずつ液晶表示パネル１０を取り出して液晶表示パネル１０単体で反転させた場合に比べて、反転にかかる時間を短縮することができる上に、液晶表示パネル１０に傷や割れが発生してしまうおそれがなくなる。
【００３４】
したがって、上述したパネル梱包箱１を採用することで複数枚の液晶表示パネル１０の反転がパネル梱包箱１単位での反転によって可能となるため、従来、修正装置などの各種装置に備えられていたパネル反転装置を削減することや、作業者が手作業で行っていた液晶表示パネル１０を反転する回数を例えば２０回から１回へと減らすことができる。
【００３５】
以上説明したパネル梱包箱１によれば、上箱部材２には、収容される液晶表示パネル１０の四隅角部を囲むように配置される平面視でＬ字形状を有する４つの角部側壁２ｃ，２ｃ，２ｃ，２ｃが立設されているので、図４に示されるように持ち運びする際に上箱部材２のパネル収容面２ａに積み重ねられた液晶表示パネル１０が横滑りして箱からはみ出してしまうことが角部側壁２ｃ，２ｃ，２ｃ，２ｃによって防止されている。
【００３６】
また、下箱部材３には、収容される液晶表示パネル１０の四辺を部分的に囲むように配置される平面視で長方形状を有する４つの辺部側壁３ｃ，３ｃ，３ｄ，３ｄが立設されているので、図３に示されるように持ち運びする際に下箱部材３のパネル収容面３ａに積み重ねられた液晶表示パネル１０が横滑りして箱からはみ出してしまうことが辺部側壁３ｃ，３ｃ，３ｄ，３ｄによって防止されている。したがって、上箱部材２と下箱部材３のいずれにおいても、液晶表示パネル１０の横すべりを防止しつつ積み重ねて収容することができるようになっている。
【００３７】
更に、上箱部材２に設けられた角部側壁２ｃ，２ｃ，２ｃ，２ｃと下箱部材３に設けられた辺部側壁３ｃ，３ｃ，３ｄ，３ｄとが上下に隙間無く嵌合されるようになっているので、上箱部材２と下箱部材３が嵌合されたパネル梱包箱１を、上下に逆さに反転するだけで、収容された複数枚の液晶表示パネル１０全てを一括して反転することが可能である。
【００３８】
次に、本発明に係るパネル梱包箱の第２の実施形態について説明する。図７は第２の実施形態に係るパネル梱包箱の分解斜視図、図８は上箱部材と下箱部材を嵌合させて閉じた状態のパネル梱包箱の外観斜視図である。
【００３９】
図示されるようにパネル梱包箱５は、同一形状を有した上箱部材６と下箱部材７を備えている。下箱部材７は発泡樹脂などの樹脂材料から成形されたもので、液晶表示パネル１０が収容される矩形状のパネル収容面７ａを有した底板７ｂが設けられており、底板７ｂにはパネル収容面７ａの対角する二隅角部とそれら角部に繋がるパネル収容面７ａの二辺部のそれぞれ半分とを囲む平面視でＬ字形状を有する２つのＬ字型側壁７ｃ，７ｃが立設されている。
【００４０】
また、Ｌ字型側壁７ｃ，７ｃは、図６（ａ）の断面図に示される場合と同様に、合紙５１が介在されて積み重ねられた液晶表示パネル１０複数枚分の厚さを超える高さを有している。この場合、Ｌ字側壁７ｃ，７ｃが設けられていないパネル収容面７ａの対角する二隅角部には、平面視でＬ字形状に切り欠かれた切欠部７ｄ，７ｄが形成されている。
【００４１】
上箱部材６は発泡樹脂などの樹脂材料から成形されたもので、液晶表示パネル１０が収容される矩形状のパネル収容面６ａを有した底板６ｂが設けられており、底板６ｂにはパネル収容面６ａの対角する二隅角部とそれら角部に繋がるパネル収容面６ａの二辺部のそれぞれ半分とを囲む平面視でＬ字形状を有する２つのＬ字型側壁６ｃ，６ｃが立設されている。この場合、Ｌ字型側壁６ｃの高さは下箱部材７に立設されたＬ字型側壁７ｃと同じ高さを有している。そして、上箱部材６のＬ字型側壁６ｃ，６ｃは、図８に示されるように下箱部材７の切欠部７ｄ，７ｄに挿入されて、Ｌ字型側壁７ｃ，７ｃと隙間無く嵌合されるようになっている。
【００４２】
また、Ｌ字型側壁６ｃ，６ｃが設けられていないパネル収容面６ａの対角する二隅角部には、平面視で長方形状に切り欠かれた切欠部６ｄ，６ｄが形成されており、この切欠部６ｄ，６ｄには、図８に示されるように下箱部材７のＬ字型側壁７ｃ，７ｃが挿入されて隙間無く嵌合されるようになっている。
【００４３】
尚、図８に示されるように上箱部材６と下箱部材７が上下に嵌合した状態では、上箱部材６に設けられたＬ字型側壁６ｃ，６ｃの内壁面と下箱部材７に設けられたＬ字型側壁７ｃ，７ｃの内壁面は面が一致するように形成されており、液晶表示パネル１０を収容した状態でパネル梱包箱５を反転した際に、パネル梱包箱５の側壁の内壁面に液晶表示パネル１０の辺部が片当たりして割れないように、液晶表示パネル１０の辺部全体がパネル梱包箱５の側壁の内壁面に均一に当接するようになっている。
【００４４】
以上説明したパネル梱包箱５によれば、上箱部材６には、収容される液晶表示パネル１０の対角する二隅角部とそれら角部に繋がる液晶表示パネル０の二辺部のそれぞれ半分とを囲むように配置される平面視でＬ字形状を有する２つのＬ字型側壁６ｃ，６ｃが立設されているので、持ち運びする際に上箱部材６のパネル収容面６ａに積み重ねられた液晶表示パネル１０が横滑りして箱からはみ出してしまうことがＬ字型側壁６ｃ，６ｃによって防止されている。
【００４５】
また、下箱部材７には、収容される液晶表示パネル１０の対角する二隅角部とそれら角部に繋がる液晶表示パネル１０の二辺部のそれぞれ半分とを囲むように配置される平面視でＬ字形状を有する２つのＬ字側壁７ｃ，７ｃが立設されているので、持ち運びする際に下箱部材７のパネル収容面７ａに積み重ねられた液晶表示パネル１０が横滑りして箱からはみ出してしまうことがＬ字型側壁７ｃ，７ｃによって防止されている。したがって、上箱部材６と下箱部材７のいずれにおいても、液晶表示パネル１０の横すべりを防止しつつ積み重ねて収容することができるようになっている。
【００４６】
更に、上箱部材６に設けられたＬ字型側壁６ｃ，６ｃと下箱部材７に設けられたＬ字側壁７ｃ，７ｃとが上下に隙間無く嵌合されるようになっているので、上箱部材６と下箱部材７が嵌合されたパネル梱包箱５を、上下に逆さに反転するだけで、収容された複数枚の液晶表示パネル１０全てを一括して反転することが可能である。また、上箱部材６と下箱部材７が同一形状を有している構成なので、箱部材６，７の製作に用いられる金型等の種類を削減することができ、パネル梱包箱５の製作や管理にかかるコスト等を抑えることが可能である。
【００４７】
以上、本発明に係るパネル梱包箱の実施の形態について説明したが、本発明はこうした実施例に何ら限定されるものではなく、本発明の要旨を逸脱しない範囲において、種々なる態様で実施できることは勿論である。例えば、本発明のパネル梱包箱に収容されるパネルには、上述した液晶表示パネルなどの表示パネルの他に、絶縁性の透明基板など種々なるパネル状のものが含まれる。
【図面の簡単な説明】
【００４８】
【図１】本発明の第１の実施形態に係るパネル梱包箱の概略構成を示した分解斜視図である。
【図２】図１のパネル梱包箱を上下逆さにして示した分解斜視図である。
【図３】図１の下箱部材にＣＦ基板が上側の液晶表示パネルを積み重ねて収容した状態を示した外観斜視図である。
【図４】図２の上箱部材にＴＦＴアレイ基板が上側の液晶表示パネルを積み重ねて収容した状態を示した外観斜視図である。
【図５】（ａ）は下箱部材が下側、上箱部材が上側で両箱部材を上下に嵌合させて閉じた状態を示したパネル梱包箱の外観斜視図、（ｂ）は上箱部材が下側、下箱部材が上側で両箱部材を上下に嵌合させて閉じた状態を示したパネル梱包箱の外観斜視図である。
【図６】（ａ）は図５（ａ）のパネル梱包箱の断面を示した図、（ｂ）は図５（ｂ）のパネル梱包箱の断面を示した図である。
【図７】本発明の第２の実施形態に係るパネル梱包箱の概略構成を示した分解斜視図である。
【図８】図７の下箱部材と上箱部材を上下に嵌合させて閉じた状態を示したパネル梱包箱の外観斜視図である。
【図９】液晶表示パネルの概略構成を示した断面図である。
【図１０】従来用いられてきたパネル梱包箱の概略構成を示した断面図である。
【図１１】（ａ）は図９の液晶表示パネルのＣＦ基板が上側になった状態を示した外観斜視図、（ｂ）は図９の液晶表示パネルのＴＦＴアレイ基板が上側になった状態を示した外観斜視図である。
【符号の説明】
【００４９】
１  パネル梱包箱
２  上箱部材
２ａ  パネル収容面
２ｂ  底板
２ｃ  角部側壁
２ｄ  切欠部
３  下箱部材
３ａ  パネル収容面
３ｂ  底板
３ｃ  短辺部側壁
３ｄ  長辺部側壁
３ｅ  切欠部
５  パネル梱包箱
６  上箱部材
６ａ  パネル収容面
６ｂ  底板
６ｃ  Ｌ字型側壁
６ｄ  切欠部
７  下箱部材
７ａ  パネル収容面
７ｂ  底板
７ｃ  Ｌ字型側壁
７ｄ  切欠部
１０  液晶表示パネル
２０  ＴＦＴアレイ基板
３０  ＣＦ基板
５１  合紙
【図１】
2010143606.tif 000003
【図２】
2010143606.tif 000004
【図３】
2010143606.tif 000005
【図４】
2010143606.tif 000006
【図５】
2010143606.tif 000007
【図６】
2010143606.tif 000008
【図７】
2010143606.tif 000009
【図８】
2010143606.tif 000010
【図９】
2010143606.tif 000011
【図１０】
2010143606.tif 000012
【図１１】
2010143606.tif 000013